(57)【要約】【課題】機器本体に着脱可能なリモコン装置を備えた各種電子機器において、上記リモコン装置の重複する操作キーをなくせると共に、さらなる操作キーの配置もなされたリモコン装置およびそれに対応する機器本体を備えた電子機器を提供することを目的とする。【解決手段】機器本体４１の操作部を、着脱可能なリモコン装置６１の表出している第１操作キー群５１で構成するようにし、機器本体４１からリモコン装置６１を取り外して使用する際には、リモコン筐体内に収納状態に配され、上記第１操作キー群５１とは異なる機能設定になされた第２操作キー群５２を外部に表出させて、その第１または第２操作キー群５１または５２への操作によって上記機器本体４１の遠隔制御ができるように構成した。【選択図】図１
2006157114.tif 000002
【特許請求の範囲】
【請求項１】
機器本体に着脱可能で、その装着保持状態では上記機器本体の操作部としてなる表出した第１操作キー群を備えたリモコン装置であって、上記機器本体への装着保持状態で、上記第１操作キー群への操作によって上記機器本体の操作ができると共に、上記機器本体からの取り外し状態では、上記第１操作キー群への操作に加え、リモコン筐体内に収納状態に配され上記第１操作キー群とは異なる機能設定になされた第２操作キー群を外部に表出させて、その第１または第２操作キー群への操作によって上記機器本体が遠隔制御できるリモコン装置。
【請求項２】
リモコン筐体は、リモコン固定筐体部に対して相対的に平面的なスライド動作をするリモコン可動筐体部を備え、第２操作キー群は、その平面的なスライド動作がなされて外部に表出する請求項１記載のリモコン装置。
【請求項３】
機器本体から取り外して使用される際の赤外光からなるリモコン送信信号の強さに対し、機器本体への装着保持状態では、第１操作キー群への操作状態に基づく上記リモコン送信信号の強さが落とされる制御がなされる請求項１記載のリモコン装置。
【請求項４】
請求項１記載のリモコン装置に対応する機器本体を備え、その機器本体に設けられたリモコン装着部への上記リモコン装置の装着保持状態を検知した際に、上記リモコン装着部に配された受信手段を作動状態に切り換える制御が行われる電子機器。
【発明の詳細な説明】
【技術分野】
【０００１】
本発明は、操作部を備えた各種電子機器に適用できるものであって、リモコン装置およびそれに対応する機器本体を備えた電子機器に関するものである。
【背景技術】
【０００２】
近年、各種電子機器は、小型軽量化され、これに伴いＡＶ機器ではビデオカメラが普及している。その中で、ビデオテープの次の記録媒体としてＤＶＤなどを用いたものも普及し始めている。
【０００３】
ここで、従来の電子機器につき、ビデオカメラを例として以下に説明する。
【０００４】
図４は従来のビデオカメラの外観斜視図、図５は同ビデオカメラに装着保持されて使用されるリモコン装置の表面側からみた外観斜視図、図６は同リモコン装置の裏面側からみた外観斜視図である。
【０００５】
同図において、１は、略直方体形状に形成された機器本体であり、前面側にレンズ２を有すると共に、後面上端部には、ファインダー３が配されている。
【０００６】
そして、その左側面部には、リモコン装着部４が凹部状に配設されている。
【０００７】
一方、１０は、ワイヤレスタイプのリモコン装置であり、当該リモコン装置１０は、図５に示すように、表面側に基本機能用の操作キー群１１が配設されている。そして、このリモコン装置１０は、図６に示すように、裏面側にも、上記基本機能用の操作キー群１１に加えて応用機能用の操作キー群１２が配設されたものとなっており、その表裏面のいずれかを外方に表出させるようにして上記機器本体１のリモコン装着部４に装着保持可能に構成されている。
【０００８】
そして、上記リモコン装置１０は、各操作キー群１１や１２への操作状態に応じた信号を、例えば送信手段１５から赤外光で機器本体１に送信する構成になされ、上記機器本体１に装着保持された状態で、その送信情報は、機器本体１のリモコン装着部４の底部に配された受光手段５を介して受信され、機器本体１の操作が可能となるものであった。
【０００９】
なお、この出願の発明に関連する先行技術文献情報としては、例えば、特許文献１が知られている。
【特許文献１】特開平５−８３６１０号公報
【発明の開示】
【発明が解決しようとする課題】
【００１０】
上記従来のビデオカメラは、使用者の好みに応じて、リモコン装置１０の表裏面のいずれかを外方への表出状態に機器本体１に装着保持させ、好みの操作キー配置で使用できるため、初心者から熟練者まで使用しやすいものではあったが、再生、停止、早送りや巻き戻しなどの基本機能の操作キー群１１は、表裏のいずれの面にも必要となってしまい、その重複配置分がコストアップ要因に繋がるという課題があった。
【００１１】
本発明は、このような従来の課題を解決するものであり、機器本体に着脱可能で、重複する操作キーをなくせると共に、機器本体への遠隔制御時のみに使用するためのさらなる操作キーの配置もなされたリモコン装置およびそれに対応する機器本体を備えた電子機器を提供することを目的とする。
【課題を解決するための手段】
【００１２】
上記目的を達成するために本発明は、以下の構成を有するものである。
【００１３】
本発明の請求項１に記載の発明は、機器本体に着脱可能で、その装着保持状態では上記機器本体の操作部としてなる表出した第１操作キー群を備えたリモコン装置であって、上記機器本体への装着保持状態で、上記第１操作キー群への操作によって上記機器本体の操作ができると共に、上記機器本体からの取り外し状態では、上記第１操作キー群への操作に加え、リモコン筐体内に収納状態に配され上記第１操作キー群とは異なる機能設定になされた第２操作キー群を外部に表出させて、その第１または第２操作キー群への操作によって上記機器本体が遠隔制御できるリモコン装置としたものである。
【００１４】
これにより、機器本体に着脱可能で、操作キーの重複をなくせると共に、機器本体の遠隔制御時のみに使用するためのさらなる操作キーもコンパクトに配置されたものが実現できるという作用を有する。
【００１５】
請求項２に記載の発明は、請求項１記載の発明において、リモコン筐体は、リモコン固定筐体部に対して相対的に平面的なスライド動作をするリモコン可動筐体部を備え、第２操作キー群は、その平面的なスライド動作がなされて外部に表出するものであり、この構成であれば、リモコン筐体の平面的なスライド移動操作に伴って第１および第２操作キー群を略同一面に容易に表出させることができ、その配置状態であればキー操作もしやすく、かつその収納時にもコンパクトに構成されたものにできるという作用を有する。
【００１６】
請求項３に記載の発明は、請求項１記載の発明において、機器本体から取り外して使用される際の赤外光からなるリモコン送信信号の強さに対し、機器本体への装着保持状態では、第１操作キー群への操作状態に基づく上記リモコン送信信号の強さが落とされる制御がなされるものであり、リモコン装置の機器本体への装着保持状態では、発光させるＬＥＤに流す電流を少なく制御して電池の消費が抑えられると共に、リモコン装置からのリモコン送信信号を近接する機器本体の受光手段で良好に受信できて所定機能が作動するものにできるという作用を有する。
【００１７】
請求項４に記載の発明は、請求項１記載のリモコン装置に対応する機器本体を備え、その機器本体に設けられたリモコン装着部への上記リモコン装置の装着保持状態を検知した際に、上記リモコン装着部に配された受信手段を作動状態に切り換える制御が行われる電子機器であり、リモコン装置が機器本体に装着されて外方に表出している第１操作キー群が機器の操作部としてなり、その第１操作キー群への操作に基づくリモコン装置からのリモコン送信信号がリモコン装着部内の受信手段で確実に受信できるものが実現できるという作用を有する。
【発明の効果】
【００１８】
以上のように本発明によれば、機器本体に着脱可能なリモコン装置における操作キーの重複をなくせると共に、機器本体の遠隔制御時のみに使用するためのさらなる操作キーもコンパクトに配置されたものにできるという有利な効果が得られる。
【発明を実施するための最良の形態】
【００１９】
以下、本発明の実施の形態について、図１〜図３を用いて説明する。
【００２０】
（実施の形態）
当該実施の形態は、従来の項と同様に各種電子機器の中からビデオカメラを例として説明するものであり、従来の技術の項で説明した構成と同一構成の部分には同一符号を付して詳細な説明は簡略化する。
【００２１】
図１は本発明の一実施の形態による電子機器であるビデオカメラにおいてリモコン装置を機器本体から取り外して使用する状態を示す外観斜視図、図２は同リモコン装置を機器本体に装着保持させた状態を示す外観斜視図、図３は同リモコン装置の機器本体からの取り外し状態を示す外観斜視図である。
【００２２】
同図において、４１は機器本体であり、その前面側にレンズ２を有すると共に、後面上端部にファインダー３が配設され、さらにその左側面部には、ヒンジ機構を介して、液晶などからなる表示部４２が開閉自在に設けられている。
【００２３】
また、機器本体４１内には、図示や詳細説明は省略するが、所定機能を作動させるための各種機構や電気回路部、各種制御を行う制御部が配されていると共に、記録媒体を収容するための記録媒体収納部等が構成されている。また、機器本体４１の後面部には、電池４３が外付けされている。
【００２４】
そして、図２に示すように、機器本体４１の所定機能を作動させるための第１操作キー群５１は、表示部４２が開かれた状態での左側面部分に配され、当該部分が、機器本体４１に対して着脱可能なリモコン装置６１として構成されている。このリモコン装置６１は、図３に示すように、機器本体４１から取り外した状態では、ワイヤレスタイプのリモコン装置６１として使用可能なものとなっている。
【００２５】
そして、図１に図示したように、リモコン装置６１として単体で使用する際には、第１操作キー群５１が配置されているリモコン可動筐体部６２を、その下方に重ねて構成されているリモコン固定筐体部６３に対し、相対的に平面的な直線スライド移動をさせて、そのリモコン固定筐体部６３の収納側となる面に配された第２操作キー群５２を外方に表出させて操作可能となっており、第２操作キー群５２のキー設定の割り当ては、第１操作キー群５１と重複しない機能設定とされている。なお、第２操作キー群５２の外方への表出は必要に応じて行えば良く、図３に示すように、リモコン可動筐体部６２のスライド移動をさせずに第１操作キー群５１のみの操作を行ってもよい。
【００２６】
このリモコン装置６１の構成であれば、多数の操作キーが搭載されたものにできる上、第１および第２操作キー群５１および５２の重複もないので、コスト的にも有利で、しかも第１および第２操作キー群５１および５２の操作面としても略同一面に構成されたものとなるため、いずれのキー操作もし易くできる。
【００２７】
なお、第１操作キー群５１は、リモコン装置６１を機器本体４１に装着保持している状態で使用される操作キーの割り当てで設定され、第２操作キー群５２は、上述したように、それらを除くキー設定になされている。その第２操作キー群５２のキー設定としては、機器本体４１からリモコン装置６１を取り外して単体のワイヤレスタイプのリモコン装置６１として使用する場合において活用できるもの、例えば編集機能時に使用するためのさらなるキー設定などに割り当てるようにすればよい。なお、第２操作キー群５２のキー設定は、当該ビデオカメラに接続される編集機能を含めて制御できるように設定されてあってもよい。
【００２８】
そして、リモコン装置６１は、第１または第２操作キー群５１または５２のいずれかの操作キーの操作が行われると、所定制御が行われて、リモコン可動筐体部６２の前方端部に配した送信手段６２Ａから上記操作状態に応じた赤外光が送信される構成となっている。
【００２９】
そして、機器本体４１は、リモコン装置６１が取り外された状態では、前方側の受光手段（図示せず）で、そのリモコン送信信号を受信して所定機能が作動されるように機器本体４１内に配された制御部で制御されている。
【００３０】
また、それに加えて、機器本体４１には、凹部状に構成されたリモコン装着部４１Ａにおける前方内壁部にも第２の受光手段４４が配されており、この第２の受光手段４４は、機器本体４１でリモコン装置６１が装着されたと判別された時のみ機能するように機器本体４１内に配された制御部で切り換え制御がされるようになっている。
【００３１】
なお、その検出手段は特に限定されるものではないので図示や詳細説明などは省略するが、例えば検出スイッチを用いるなどして安価かつ単純なもので構成し、そのスイッチからの信号を機器本体４１内に配された制御部で判別する構成などが配置スペースやコスト面を考慮すると好ましい。
【００３２】
また、上記第２の受光手段４４への切り換え機能を機器本体４１に備えさせることにより、機器本体４１への装着保持状態で機器の操作部としてなる第１操作キー群５１への所定操作が行われた際、それにより得られるリモコン装置６１からのリモコン送信信号が確実にリモコン装着部４１Ａ内の第２の受光手段４４で受信できて良好な機器操作が行えるものにできる。
【００３３】
また、リモコン装置６１としても、機器本体４１に装着されているか否かの判別手段（図示せず）を有し、装着された状態であると判別がなされた際に、リモコン装置６１内に内蔵された電池の消費を低減させる機能が働く構成とされている。
【００３４】
その機能とは、リモコン装置６１が機器本体４１に装着された状態では、リモコン装置６１の送信手段６２Ａと機器本体４１の第２の受光手段４４とが近接配置となるため、送信手段６２Ａからの赤外光の強さを低減させる処理を行って第２の受光手段４４で良好に受信可能なリモコン送信信号を送信させるものである。このとき、赤外光を発光させるＬＥＤに流す電流を少なく制御して赤外光の強さを低減させると、リモコン装置６１内に内蔵された電池の消費を抑えることができる。
【００３５】
なお、上記方法以外にも、リモコン装置６１内に内蔵された電池の消費を抑える工夫は可能であり、例えばリモコン装置および機器本体のリモコン装着部の各々に互いに適合するコネクタを付加してリモコン装置の機器本体への装着時に上記コネクタどうしを接続させる構成となし、そのコネクタどうしの接続状態を判別して当該リモコン装置内に内蔵された電池からの電源供給を停止させると共に、上記接続されたコネクタを介して機器本体側の電池からの電源供給を受けてリモコン装置の作動が行えるようにしてもよい。また、機器本体及びリモコン装置内に電磁誘導回路を構成しておき、リモコン装置の機器本体への装着保持状態で、機器本体の電磁誘導回路からリモコン装置の電源供給を受けるようにしてもよい。
【００３６】
なお、上記リモコン装置６１は、上述したように機器本体４１への装着保持状態では、リモコン可動筐体部６２の第１操作キー群５１が左側面に表出するように機器本体４１に装着保持されることから、操作キーの配置面積が限られるため、多方向に向けて操作できる操作部分を持つ電子部品などを配設しておくことが好ましい。このとき、汎用のリモコン装置では、多方向に向けて操作できる操作部分を持つ電子部品を搭載させたものが多様に普及しているため、機器本体４１から取り外してリモコン装置６１単体で使用する際の操作時における違和感も少なく、使い勝手の向上も図れ好ましい。
【００３７】
以上のように、本発明によるものは、機器本体に対し着脱可能なリモコン装置であって、操作キーの重複配置をなくせると共に、機器本体の遠隔制御時のみに使用するためのさらなる操作キーもコンパクトに配置されたものが実現できるものである。
【００３８】
なお、上記には、リモコン装置６１の送信信号手段として赤外光を用いたものを説明したが、電波などでの送信信号手段とされたものでもよい。
【００３９】
また、リモコン装置６１において、第１操作キー群５１が配置されたリモコン可動筐体部６２とリモコン固定筐体部６３とを相対的に平面的な直線スライド動作させて第２操作キー群５２を外方に表出させる構成を説明したが、それ以外に例えばリモコン固定筐体部に対してリモコン可動筐体部を平面的な回転スライド移動させ、略同一面で第１および第２操作キー群の操作が可能となされるものとしても第２操作キー群５２の収納時にコンパクトなものに構成できて好ましいが、それらに限定されることはない。
【００４０】
なお、上記には、ビデオカメラを事例に説明したが、本発明は、操作部を備えた各種電子機器全般に適用可能なものである。
【産業上の利用可能性】
【００４１】
本発明によるリモコン装置およびそれに対応する機器本体を備えた電子機器は、機器本体に着脱可能で重複する操作キーをなくせると共に、機器本体への遠隔制御時のみに使用するためのさらなる操作キーの配置もできるものが実現できるという効果を有し、操作部を備えた各種電子機器等に有用である。
【図面の簡単な説明】
【００４２】
【図１】本発明の一実施の形態による電子機器であるビデオカメラにおいてリモコン装置を機器本体から取り外して使用する状態を示す外観斜視図
【図２】同リモコン装置を機器本体に装着保持させた状態を示す外観斜視図
【図３】同リモコン装置の機器本体からの取り外し状態を示す外観斜視図
【図４】従来のビデオカメラの外観斜視図
【図５】同ビデオカメラに装着保持されて使用されるリモコン装置の表面側からみた外観斜視図
【図６】同リモコン装置の裏面側からみた外観斜視図
【符号の説明】
【００４３】
２  レンズ
３  ファインダー
４１  機器本体
４１Ａ  リモコン装着部
４２  表示部
４３  電池
４４  第２の受光手段
５１  第１操作キー群
５２  第２操作キー群
６１  リモコン装置
６２  リモコン可動筐体部
６２Ａ  送信手段
６３  リモコン固定筐体部
【図１】
2006157114.tif 000003
【図２】
2006157114.tif 000004
【図３】
2006157114.tif 000005
【図４】
2006157114.tif 000006
【図５】
2006157114.tif 000007
【図６】
2006157114.tif 000008